(57)【要約】【課題】  電気的接続を行う接点１１を有した媒体１０とその収容部２０とを有した電子機器において、媒体１０の収容部２０への収容時、確実に媒体を保持できるようにすると共に電気的接続を確実に行え、かつ、接点のクリーニングをも行えるようにした電子機器を提供することが課題である。【解決手段】  収容部２０における１０媒体の装着方向に平行な方向で対向する２つの側面のそれぞれに、前記媒体１０を側面のそれぞれから遠ざける方向に押圧する一の押圧手段２２と他の押圧手段２３とを配設し、一の押圧手段２２は、端部に爪部２２１が設けられて媒体１０の挿入時、この爪部２２１が媒体１０の側面に当接して一の押圧手段２２を媒体１０から遠ざかる方向に待避して押圧力が低減するよう構成され、装着完了時、爪部２２１が媒体１０を係止することで媒体１０を他の押圧手段２３方向に押し戻し、接点１１、２１を摺擦してクリーニングできるようにした。【選択図】      図１
2007012283.tif 000002
【特許請求の範囲】
【請求項１】
媒体と、該媒体を着脱可能に収容する収容部とを備え、前記媒体が収容部に装着された状態でお互いに電気的接続を行う接点を有した電子機器において、
前記収容部における前記媒体の装着方向に平行な方向で対向する２つの側面のそれぞれに、前記媒体を前記側面のそれぞれから遠ざける方向に押圧する一の押圧手段と他の押圧手段とを配設し、一の押圧手段は、前記媒体の装着完了前は前記媒体から遠ざかる方向に待避して押圧力が低減するよう構成されていることを特徴とする電子機器。
【請求項２】
前記一の押圧手段の押圧力は、前記媒体の装着完了前は他の押圧手段の押圧力より小さく、前記媒体の装着完了後は前記他の押圧手段の押圧力に等しいか大きいことを特徴とする請求項１に記載した電子機器。
【請求項３】
前記一の押圧手段は前記媒体装着完了時に前記媒体を係止する爪部を有し、前記媒体の収容部への挿入時、前記爪部が媒体側面に当接することで前記媒体から遠ざかる方向に待避するよう構成されていることを特徴とする請求項１または２に記載した電子機器。
【請求項４】
前記一の押圧手段は前記収容部における前記媒体装着方向の面の近傍を支点とし、前記爪部と支点との間に、前記媒体から遠ざかる方向に待避したときに媒体を押圧せずに接触するか、若しくは非接触となる第１の押圧部材を配して構成されていることを特徴とする請求項３に記載した電子機器。
【請求項５】
前記一の押圧手段は前記媒体の装着完了時、前記媒体を装着方向に平行な方向で前記押圧手段の無い側面方向に押圧する第２の押圧部材を配したことを特徴とする請求項４に記載した電子機器。
【請求項６】
前記収容部は外壁内側に、前記媒体の装着完了時、前記第２の押圧部材が入る凹部を有することを特徴とする請求項５に記載した電子機器。
【請求項７】
前記媒体と収容部とをお互いに電気的接続する接点は、前記媒体と収容部における、媒体先端または媒体の収容部への装着方向に平行な方向で前記押圧手段の無い側面のいずれか、もしくは両方に対応した部位に設けられていることを特徴とする請求項１乃至７のいずれかに記載した電子機器。
【発明の詳細な説明】
【技術分野】
【０００１】
本発明は、媒体とその収容部とからなる電子機器に関し、特に、お互いに電気的接続を行う接点を有して媒体の収容部への装着時、前記接点をクリーニングする動作を行うことができるようにした電子機器に関するものである。
【背景技術】
【０００２】
例えば特許文献１や特許文献２に示されたデジタルカメラや携帯電話、手帳並みの大きさの個人向け小型携帯情報端末（ＰＤＡ：Ｐｅｒｓｏｎａｌ  Ｄｉｇｉｔａｌ  Ａｓｓｉｓｔａｎｔｓ）やノート型パソコンなどの小型の電子機器では、お互いに電気的接続を行う接点を有した例えば電池やメモリカード、小型ハードディスクなどの媒体と、その媒体を収容する収容部が備えられている。
【０００３】
特に、特許文献１、２に示されたデジタルカメラでは、光学系や、操作部を構成する電子回路や表示装置に対して電池がほぼ同じ大きさとなるため、電池高さでカメラの操作部や光学系高さを規制し、小型、軽量化、薄型化を図っている。
【０００４】
こういった電気的接続を行う接点を有した媒体とその収容部とを有した電子機器では、媒体の収容部への収容時、媒体が収容部から脱落しないように、また、電気的接続が確実に行われるようにする必要があり、また電気的接続を行う接点は、酸化膜が形成されたり汚れが付着することで接触不良が発生することがあるため、電池を収容部に装填するとき、できる限り接点を摺擦してクリーニングできるようにすることが好ましい。
【０００５】
そのため、例えば電池を収容部に装着する際、電池の端子の表面を本体の凸部に摺擦してクリーニングする機構を備えた電子機器（以下、従来技術１と称する）や、角形電池の収納部の蓋に、収納した電池を押圧する弾性部材と本体側に蓋の係止部材を設け、角形電池を弾性部材で押圧して確実に収納できるようにすると共に、蓋の係止部材を外したときに蓋が跳ね上がるようにした電子機器（従来技術２と称する）が存在する。また、電池を挿入して保持するようにした電池ホルダの側面に、電池挿入時に弾性変形して電池を押さえる爪を設け、収納した電池を一方に片寄せできるようにして、電池を確実に保持できるようにした電子機器（従来技術３と称する）も存在する。
【０００６】
また特許文献３、４には、素電池をラミネートフィルムで密閉して形成し、そのままでは剛性が低いため、回路基板と回路基板に電気的に接続された電気接続部とを有してこの電気接続部の接続端部を露出させるケースに入れ、ケース内の空間を樹脂モールドで埋めて剛性を高めたバッテリを、電気接続部に対応して設けられたコネクタが配された携帯端末の収容部に入れ、この収容部の蓋に設けられたリブでバッテリの後部を押して確実に接続ができるようにした電子機器が示されている。
【０００７】
【特許文献１】特開２００５−７２６６９号公報
【特許文献２】特開２００５−２０４７０号公報
【特許文献３】特開２００２−２６０６１５号公報
【特許文献４】特開２００２−２６０６２１号公報
【発明の開示】
【発明が解決しようとする課題】
【０００８】
しかしながら従来技術１に示された技術は、上下端にプラスとマイナスの電極を配して一方の電極を本体側部に接触させ、他端を収容部に押し込むようにした電池ホルダであり、例えば一端にプラスとマイナスの端子が設けられた角形の電池等では用いることができず、また、従来技術２、３のものは単に電池を確実に保持できるようにした機構であって、接点をクリーニングするための機構までは備えていない。
【０００９】
また特許文献１、２に示されたデジタルカメラは、単に電池高さでカメラの操作部や光学系高さを規制し、小型、軽量化、薄型化を図ろうとしたもので、接点のクリーニングについては触れられておらず、また特許文献３、４のものも、電池を挿着後に後部を蓋に設けられたリブで押して確実に接続できるようにはしているが、接点のクリーニングについてはやはり触れられてはいない。
【００１０】
そのため本発明においては、電気的接続を行う接点を有した媒体とその収容部とを有した電子機器において、媒体の収容部への収容時、確実に媒体を保持できるようにすると共に電気的接続を確実に行え、かつ、接点のクリーニングをも行えるようにした電子機器を提供することが課題である。
【課題を解決するための手段】
【００１１】
上記課題を解決するため本発明になる電子機器は、
媒体と、該媒体を着脱可能に収容する収容部とを備え、前記媒体が収容部に装着された状態でお互いに電気的接続を行う接点を有した電子機器において、
前記収容部における前記媒体の装着方向に平行な方向で対向する２つの側面のそれぞれに、前記媒体を前記側面のそれぞれから遠ざける方向に押圧する一の押圧手段と他の押圧手段とを配設し、一の押圧手段は、前記媒体の装着完了前は前記媒体から遠ざかる方向に待避して押圧力が低減するよう構成されていることを特徴とする。
【００１２】
このように電子機器における媒体と収容部を構成することにより、収容部に装着する媒体は、装着完了前は他の押圧手段によって一の押圧手段側に押しつけられることになり、一方、装着完了後は、一の押圧手段によって押し戻されて両押圧手段の押圧力が拮抗する位置まで移動するから、両押圧手段に押さえられて確実に保持することが可能となると共に、お互いに電気的接続を行う接点はその移動時に摺擦がおこなわれ、それによって接点のクリーニングがなされて電気的接続も確実におこなうことができる電子機器を提供することができる。
【００１３】
そして、前記一の押圧手段の押圧力は、前記媒体の装着完了前は他の押圧手段の押圧力より小さく、前記媒体の装着完了後は前記他の押圧手段の押圧力に等しいか大きくすることで、媒体は収容部における可能な最大移動距離を動くことになり、接点が確実にクリーニングされて電気的接続が確実におこなうことができる電子機器とすることができる。
【００１４】
また、前記一の押圧手段は前記媒体装着完了時に前記媒体を係止する爪部を有し、前記媒体の収容部への挿入時、前記爪部が媒体側面に当接することで前記媒体から遠ざかる方向に待避するよう構成することで、媒体を爪部によって収容部に確実に保持すると共に、媒体の挿入時には確実に一の押圧手段を媒体から遠ざける方向に待避させることが可能となり、さらに、
前記一の押圧手段は前記収容部における前記媒体装着方向の面の近傍を支点とし、前記爪部と支点との間に、前記媒体から遠ざかる方向に待避したときに媒体を押圧せずに接触するか、若しくは非接触となる第１の押圧部材を配することで、媒体の装着前は一の押圧手段による押圧力を低減させ、装着後は大きな押圧力で媒体を押圧できる電子機器とすることができ、そして、
前記一の押圧手段は前記媒体の装着完了時、前記媒体を前記押圧手段の無い側面方向に押圧する第２の押圧部材を配し、また、
前記収容部は外壁内側に、前記媒体の装着完了時、前記第２の押圧部材が入る凹部を設けることで、媒体は押圧手段の無い側面方向にも押圧されてガタが無く、確実に収容部に保持される。
【００１５】
さらに、前記媒体と収容部とをお互いに電気的接続する接点は、前記媒体と収容部における、媒体先端または媒体の収容部への装着方向に平行な方向で前記押圧手段の無い側面のいずれか、もしくは両方に対応した部位に設けることが本発明の好適な実施例である。
【発明の効果】
【００１６】
以上記載のごとく本発明によれば、媒体の収容部への収容時、確実に媒体を保持できると共に接点のクリーニングも行って、電気的接続をも確実におこなうことができる電子機器を提供することができる。
【発明を実施するための最良の形態】
【００１７】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例１】
【００１８】
図１は、本発明の電子機器を構成する媒体と収容部の一実施例斜視図、図２は本発明の電子機器を構成する媒体を収容部へ収納する時の押圧手段の動作を示した図で、（Ａ）は収容部へ媒体を挿入している状態の図、（Ｂ）は挿入のみ終了した状態を示した図、（Ｃ）は爪部により媒体を係止して媒体の収容部への装着が完了した状態を示した図、（Ｄ）は媒体の収容部への装着が完了した状態を上面から見た図である。
【００１９】
本発明になる電子機器は、図１に一例を示したように、本体側に電池、ハードディスク、メモリカードなどの長方形状をした媒体１０を収容する収容部２０を有し、媒体１０には、その挿入方向先端部に電気的な接点１１が設けられていて、収容部２０にもこの接点１１に対応した部位にこの接点１１と接触し、お互いを電気的に接続させるための接点２１が設けられている。
【００２０】
なお、以下の説明では媒体１０を長方形状とし、接点１１を媒体１０における挿入方向先端部に設ける場合を例に説明するが、使用する機器に合わせ、媒体１０の形状を円柱状としたり、また接点１１の位置もこの図１に示した例では、例えば１２、１３で示した側面に設けたりしても良い（但し、媒体１０が円柱状の場合は先端のみに限られる）。
【００２１】
また、収容部２０における媒体１０を収容する部分は、その深さｈが媒体１０の高さとほぼ同じかわずかに浅く形成されており、一方横幅ｍと奥行きｎは、それぞれ媒体１０よりわずかに大きく形成されている。
【００２２】
さらに、収容部２０における媒体１０の装着方向に平行な方向で対向する２つの側面２０４、２０５のそれぞれには、前記媒体１０をこれら側面２０４、２０５のそれぞれから遠ざける方向に押圧する押圧手段２２、２３が配設されている。
【００２３】
このうち一方の押圧手段２２は、収容部２０の側面２０４に設けられた切れ込み部に収容部２０における底面２０３の近傍２２４を支点とし、支点とは逆側となる端部に媒体１０の収容部２０への装着完了時、媒体１０を係止する爪部２２１が配されて媒体１０を押圧できるよう形成され、また媒体１０を押圧するだけでなく、媒体１０から遠ざかる方向にも待避できるようにされている。なお、この押圧手段２２は、図では収容部２０の一部をそのまま用いて構成した場合を示しているが、別部材と弾性部材を組み合わせて媒体１０を押圧するようにしても良い。
【００２４】
また、この一方の押圧手段２２の端部に設けられた爪部２２１と支点２２４との間には、この押圧手段２２が媒体１０から遠ざかる方向に待避したときに媒体１０を押圧せずに接触するか、若しくは非接触となる第１の押圧部材２２２と、媒体１０が収容部２０に完全に装着された時、媒体１０を押圧手段２２、２３の無い側面方向に押圧する第２の押圧部材２２３とが設けられている。
【００２５】
そして収容部２０の外壁内側には、媒体１０が収容部２０に完全に装着された時、この第２の押圧部材２２３を収容する凹部２０１が設けられ、その凹部２０１に第２の押圧部材２２３が入ることで媒体１０は、装着方向に平行な方向で押圧手段２２、２３の無い側面方向に押圧されることになる。
【００２６】
一方、他方の押圧手段２３は、収容部２０の側面２０４に設けられた切れ込み２０２における収容部２０の底面２０３から立ち上がり、側面２０５方向に湾曲して媒体１０を押圧するように構成して示しているが、この押圧手段２３も、前記押圧手段２２と同様、別部材と弾性部材を組み合わせて媒体１０を押圧するようにしても良い。
【００２７】
これら押圧手段２２、２３の押圧力は、等しいか若しくは押圧手段２２の方が押圧手段２３より大きく設定されているが、媒体１０を収容部２０へ挿入して収容部２０に完全に装着される前は、爪部２２１が媒体１０の側面に当接してこの一方の押圧手段２２を媒体１０から遠ざかる方向に待避させ、この時は前記したように第１の押圧部材２２２は媒体１０を押圧せずに接触するか、若しくは非接触となるから、押圧部材２２２による媒体１０への押圧力は低減されて他方の押圧手段２３の押圧力より小さくなる。
【００２８】
そして、媒体１０が収容部２０へ完全に装着されて爪部２２１によって媒体１０が係止されると、押圧部材２２２と２２３の存在によって媒体１０は２方向から押圧され、そのとき、一方の押圧手段２２の押圧力は他方の押圧手段２３の押圧力に等しいか大きくなるようにしてあることで、媒体１０は押圧手段２３の方向と押圧部材２２３とは逆の方向に移動する。従って、媒体１０に設けられた接点１１は収容部２０に設けられた接点２１と互いに摺擦しながら移動することになり、この接点１１は接点２１によってクリーニングされて電気的接続が確実に行えるようになる。
【００２９】
以上が本発明の電子機器における媒体１０と収容部２０の構成であるが、次に図２を用いてこの媒体１０を収容部２０へ装着する時の押圧手段の動作について説明する。
【００３０】
収容部２０における媒体１０を収容する部分は、前記したようにその深さｈが媒体１０の高さとほぼ同じかわずかに浅く形成され、横幅ｍと奥行きｎ（図１参照）は、それぞれ媒体１０よりわずかに大きく形成されているから、まず媒体１０を収容部２０に挿入すると、図２（Ａ）に示したように最初に爪部２２１が媒体１０の側面に当接し、押圧手段２２は媒体１０から遠ざかる方向に待避させられて押圧手段２２に設けられた押圧部剤２２２は、媒体１０と非接触となるか媒体１０を押圧せずに接触して押圧手段２３の押圧力の方が勝り、媒体１０は押圧手段２２方向に寄せられている。
【００３１】
そしてさらに媒体１０が収容部２０に挿入されていくと、図２（Ｂ）に示したように媒体１０の先端部に設けられた接点１１が収容部２０の底面２０３に設けられた接点２１に接触する。しかしこの時、爪部２２１はまだ媒体１０を係止していないから、媒体１０はまだ押圧手段２２方向に寄せられたままである。
【００３２】
しかし収容部２０における媒体１０を収容する部分は、その深さｈが媒体１０の高さとほぼ同じかわずかに浅く形成されているから、爪部２２１は図２（Ｃ）に示したように媒体１０を係止する方向に動き、このとき押圧部剤２２２が媒体１０を押圧手段２３方向に、また、押圧部材２２３が媒体１０を押圧部材２２３とは逆の方に移動するよう押圧する。押圧手段２２の押圧力は前記したように押圧手段２３と等しいか大きく設定されているから、媒体１０は少なくとも押圧手段２３の押圧力と均衡する位置まで移動し、そのとき、接点１１は接点２１を摺擦して接触部がクリーニングされる。
【００３３】
そのため、図２（Ｄ）に示したように、媒体１０は押圧手段２２における押圧部材２２２と２２３によって押圧手段２３方向と押圧部材２２３とは逆側の側面の方に押しつけられ、媒体１０はガタつくことなく収容部２０に確実に保持され、さらに接点１１、２１は、前記したように互いに摺擦されてクリーニングされて電気的接続も確実に行われ、デジタルカメラや携帯電話、ＰＤＡやノート型パソコンなどに用いられる電池やメモリカード、小型ハードディスクなどに用いられる媒体１０を確実に保持して電気的接続をおこなうことができる電子機器を提供することができる。
【００３４】
このように電子機器における媒体１０と収容部２０を構成することにより、一の押圧手段２２は媒体１０の収容部２０への挿入時、爪部２２１が媒体１０側面に当接することで媒体１０から遠ざかる方向に待避して媒体１０を押圧する力が低減され、他の押圧手段２３によって一の押圧手段２２側に押しつけられる。一方、装着完了後は、爪部２２１が媒体１０を係止することで一の押圧手段２２が媒体１０を押して両押圧手段２２、２３の押圧力が拮抗する位置まで移動し、かつ、両押圧手段２２、２３と爪部２２１とで押さえられて媒体１０を確実に保持することが可能となると共に、お互いに電気的接続を行う接点１１、２１はその移動時に摺擦がおこなわれ、それによって接点のクリーニングがなされて電気的接続も確実におこなうことができる電子機器を提供することができる。
【産業上の利用可能性】
【００３５】
本発明によれば、媒体の収容部への収容時、接点のクリーニングを行って電気的接続を確実におこなうことができると共に媒体の保持も確実におこなうことができ、電池やメモリカード、小型ハードディスクなどの媒体とその媒体を収容する収容部を備えた電子機器に適用して好適である。
【図面の簡単な説明】
【００３６】
【図１】本発明の電子機器を構成する媒体と収容部の一実施例斜視図である。
【図２】本発明の電子機器を構成する媒体を収容部へ収納する時の押圧手段の動作を示した図で、（Ａ）は収容部へ媒体を挿入している状態の図、（Ｂ）は挿入のみ終了した状態を示した図、（Ｃ）は爪部により媒体を係止して媒体の収容部への装着が完了した状態を示した図、（Ｄ）は媒体の収容部への装着が完了した状態を上面から見た図である。
【符号の説明】
【００３７】
１０  媒体
１１  接点
１２、１３  
２０  収容部
２０１  凹部
２０２  切れ込み
２０３  収容部底面
２０４、２０５  収容部における押圧手段を設ける側面
２１  接点
２２  押圧手段
２２１  爪部
２２２  第１の押圧部材
２２３  第２の押圧部材
２２４  支点
２３  押圧手段
ｈ  収容部における媒体収容部の深さ
ｍ  収容部における媒体収容部の横幅
ｎ  収容部における媒体収容部の奥行き
【図１】
2007012283.tif 000003
【図２】
2007012283.tif 000004